(57)【要約】【課題】ＡＤＦ装置を画像形成装置の読取装置とは別体の独立した装置として構成可能とし、原稿トレイから排出トレイの間に１つの読取部を設け、両面原稿の第１面の読取り後に、原稿を反転させて第２面の読取りを連続して行い得るようにする。【解決手段】ＡＤＦ３０は、原稿トレイ３１と排出トレイ４１の間の原稿搬送路の所定の位置に読取装置３５を設けている。また、前記読取部の下流部からゲート４６を介して戻し路４５を設け、その端部にゲート４７を介して正逆搬送ローラ装置４８を設ける。そして、前記戻し路４５からローラ装置４８で反転された両面原稿を、合流路４９を通して第２面の読取りに向けて搬送し、読取りが終了したものを排出トレイ４１に排出させる。【選択図】          図２
2004343491.tif 000002
【特許請求の範囲】
【請求項１】
原稿トレイにセットした両面原稿を搬送しながら、前記両面原稿の第１面の読取りを行い、その後で、前記両面原稿を反転して第２面の読取りを行う画像読取装置において、
前記原稿トレイと排出トレイの間の搬送路の所定の位置に設ける読取部と、
前記読取部と排出トレイの間に分岐手段を介して設ける戻し路と、
前記戻し路と反転搬送手段との間を接続する合流路と、を設け、
第１面の読取りが終了した原稿を、前記戻し路から合流路を介して読取部を設けた搬送路に向けて送ることにより、読取部で第２面の読取りを行うことを特徴とする画像読取装置。
【請求項２】
前記自動原稿搬送装置の戻し路と合流路の間に設ける反転部には、正逆搬送ローラ装置と切換えゲートとをそれそれの所定の位置に配置し、
両面原稿を反転させて、前記原稿の第２面を読取部に対応させて給紙することを特徴とする請求項１に記載の画像読取装置。
【請求項３】
前記自動原稿搬送装置を、画像形成装置のフラットベッドスキャナの開閉部材に組み合わせて設けて、２種類の読取装置を別個に使用可能な装置として構成し、
前記自動原稿搬送装置とフラットベッドスキャナの機能を用いて読み取った画像情報を、画像形成装置に各々送信可能に構成したことを特徴とする請求項１または２に記載の画像読取装置。
【発明の詳細な説明】
【０００１】
【発明の属する技術分野】
本発明は、ＡＤＦ手段と同様な原稿搬送手段を用いて両面原稿の読取りを行う画像読取装置に関し、特に、原稿搬送路に原稿を反転搬送する手段を設けて、両面原稿の表裏面の読取りを連続して行い得るようにする装置に関する。
【０００２】
【従来の技術】
従来より、複写機や、ファクシミリ装置と複写機手段を組み合わせた複合機のような画像形成装置においては、ブックものの原稿を載置して読み取るために、ＦＢＳ（フラットベッドスキャナ）としての作用を行う大サイズのプラテンと、シートものの原稿を搬送しながら画像の走査（読取り）を行うＡＤＦ手段（自動原稿搬送装置）に対応する画像読取装置を設けている。前記画像読取装置においては、ＦＢＳ手段に対応させて、大サイズのプラテンの下面に沿って移動しながら走査する走査装置を設けている。前記ＡＤＦの原稿搬送手段を使用する際には、前記大サイズのプラテンの一端部に設けた小サイズのプラテンの位置に固定して、原稿搬送装置により移動される原稿の読取りを行うように構成している（例えば、特許文献１を参照）。
【０００３】
【特許文献１】
特開平１２−４１１３３号公報
【０００４】
【発明が解決しようとする課題】
ところが、前記ＡＤＦ装置では、原稿の１つの面のみを走査する機能を用いているものが多く、両面原稿を自動的に反転させて読み取る機能を設けることは、装置の構造が非常に複雑となり、メンテナンスの困難な大型の装置となるという問題がある。そこで、従来より使用されている小型のＡＤＦ機能に組み合わせて、自動両面原稿搬送装置を簡単な機構のもので構成することが望まれているが、現状では、ユーザーの要望に応じることができないという課題が残っている。また、ＡＤＦ機能を用いた画像読取装置を、パソコン等の画像入力手段として用いる場合にも、両面原稿の表裏（第１、２面）を１回の給紙で、連続して行う機能を設けたものはなく、より便利に使用可能な装置の開発が望まれているのが現状である。
【０００５】
本発明は、ＡＤＦ機構に原稿反転手段を設けて、第１面の読取り後に、両面原稿を反転させて第２面の読取りを行い得て、その反転の動作を自動的に行い得る原稿読取装置を提供することをを目的としている。
【０００６】
【課題を解決するための手段】
本発明は、原稿トレイにセットした両面原稿を搬送しながら、前記両面原稿の第１面の読取りを行い、その後で、前記両面原稿を反転して第２面の読取りを行う画像読取装置に関する。請求項１の発明は、前記原稿トレイと排出トレイの間の搬送路の所定の位置に設ける読取部と、前記読取部と排出トレイの間に分岐手段を介して設ける戻し路と、前記戻し路と反転搬送手段との間を接続する合流路と、を設け、第１面の読取りが終了した原稿を、前記戻し路から合流路を介して読取部を設けた搬送路に向けて送ることにより、読取部で第２面の読取りを行うことを特徴とする。
【０００７】
請求項２の発明は、前記自動原稿搬送装置の戻し路と合流路の間に設ける反転部には、正逆搬送ローラ装置と切換えゲートとをそれそれの所定の位置に配置し、両面原稿を反転させて、前記原稿の第２面を読取部に対応させて給紙することを特徴とする。
【０００８】
請求項３の発明は、前記自動原稿搬送装置を、画像形成装置のフラットベッドスキャナの開閉部材に組み合わせて設けて、２種類の読取装置を別個に使用可能な装置として構成し、前記自動原稿搬送装置とフラットベッドスキャナの機能を用いて読み取った画像情報を、画像形成装置に各々送信可能に構成したことを特徴とする。
【０００９】
前述したように構成したことにより、両面原稿の第１面を読み取った後で、その原稿を反転させて第２面の読取りに向けて送る手段を設けているので、１つの読取部を設けるのみで、両面原稿の表裏面を連続して読み取ることができ、読取りの動作を簡素化することが可能である。また、シートものの両面原稿を原稿トレイにセットするのみで、原稿搬送路内で反転搬送して、表裏面の読取りを行うことができるので、装置の構成を簡素化できて、小型の画像読取装置として構成が可能である。そして、前記画像読取装置を単独でパソコンのような装置に対する読取り手段として用いることが可能であり、ＦＢＳ機能を設けている画像形成装置に組み合わせる場合には、それぞれの機能を有効に用いることができる。
【００１０】
【発明の実施の形態】
図示される例にしたがって、本発明の装置の構成を説明する。図１に示す画像読取装置は、両面原稿の表裏面を連続して読み取る機能を設けて、自動両面原稿搬送読取装置（以下ＲＡＤＦと呼ぶ）３０として構成されているもので、前記ＲＡＤＦ３０においては、装置の一方の側に原稿トレイ３１を配置し、内部に設ける略直線状の原稿搬送路３４を通じて、他方の側に排出トレイ４１を設けている。前記原稿トレイ３１からの原稿給紙部には、給紙ローラ３２とさばきパッド３３を対向させて配置し、原稿さばき手段を設けている。また、前記原稿搬送路３４の所定の位置には、読取装置３５を設けた読取部を配置し、前記読取装置３５の部分を通して原稿を搬送するために、搬送ローラ装置３６、３７を配置して、原稿を定速で搬送しながら、読取装置３５により原稿の上面（第１面）の画像の読取りを行うようにする。
【００１１】
前記読取部の下流部には、排出トレイ４１に至る排出路３８に、切換えゲート４６を介して戻し路４５を接続し、大きく迂回する戻し路の端部に、正逆搬送ローラ装置４８を設けている。前記正逆搬送ローラ装置４８の上流部には、切換えゲート４７を介して合流路４９を設け、前記合流路４９を原稿搬送路３４の搬送ローラ装置３６の上流部で合流させるよう、原稿搬送経路を構成している。前記戻し路４５の終端部に配置する正逆搬送ローラ装置４８は、正逆方向に駆動可能なローラ装置として構成され、原稿の端部が前記正逆搬送ローラ装置４８にニップされている状態で、前記正逆搬送ローラ装置を逆転駆動することにより、原稿を反転させて読取部に向けて送るようにする。
【００１２】
前述したような構成を有するＲＡＤＦ３０においては、原稿トレイ３１に両面原稿をセットして、例えば、コントロールパネル等の情報入力手段に対して、両面原稿の両面の読取りを指令すると、両面原稿の読取りモードにしたがった動作が行われる。まず、原稿トレイ３１から給紙ローラ３２により取り出される原稿は、用紙さばき手段により１枚ずつ読取部に向けて送られ、読取装置３５により第１面の読取りが行われる。
【００１３】
前記原稿の第１面の読取りの際には、戻し路４５に原稿を案内するように、切換えゲート４６が図の鎖線の位置に切り換えられており、第１面の読取りが終了した原稿は、切換えゲート４６により戻し路４５に案内される。前記戻し路４５に送られた原稿は、他端部の正逆搬送ローラ装置４８に向けて移動され、前記正逆搬送ローラ装置４８に終端部がニップされて、切換えゲート４７の揺動の邪魔にならない位置まで達すると、前記正逆搬送ローラ装置４８が逆転駆動が開始される。前記正逆搬送ローラ装置４８が逆転駆動される際には、その動作の直前に所定のタイミングで切換えゲート４７が切り換えられおり、正逆搬送ローラ装置４８と合流路４９を連通させる搬送系統が設定されている。
【００１４】
前記正逆搬送ローラ装置４８の部分から合流路４９を通して逆送される原稿は、原稿搬送路３４に合流される状態では、上側に第２面が位置される状態で搬送される。そして、搬送ローラ装置３６、３７により定速で搬送されて。読取装置３５を通る原稿の第２面を読み取って、排出路３８に沿わせて排出トレイ４１に向けて搬送する。前記原稿の第２面の読取りを行うに際しては、第１面を読取られた原稿が、戻し路４５に完全に入り込んだ状態で、切換えゲート４６が図の実線で示す位置に切り換えられているので、第２面の読取りが終了した原稿は、排出路３８から排出ローラ装置４０により排出トレイ４１に向けて排出される。
【００１５】
なお、前記両面原稿の搬送の制御のために、例えば、読取部では読取装置３５に設けた原稿の検知手段を用いる他に、適当な位置にセンサを配置して、原稿の検知を行うようにすれば良い。また、戻し路４５から合流路４９に向けて原稿を反転搬送するためには、切換えゲート４７の下流部にセンサＳを配置して、原稿搬送作用の情報を得ることができる。そして、前記各検知手段から得られる原稿搬送の情報にしたがって、切換えゲートの切り換えの動作と、読取装置による走査の制御、正逆搬送ローラ装置４８の正逆駆動の制御を適宜行うように、その原稿搬送の制御のプログラムを制御装置に設定することができる。なお、前記ＲＡＤＦ３０を用いて、片面原稿を読み取る場合には、両面原稿モードによらずに装置を動作させるように、その入力装置に片面原稿の読取りの動作を指令する入力ボタンを受けておくことで対処が可能である。
【００１６】
図２に示す画像形成装置１は、装置本体２の上部にＦＢＳ２０を設けている画像形成装置に対して、前記図１に示したようなＲＡＤＦ３０を組み合わせて設け、前記２種類の画像読取手段により読み取った原稿の画像情報に基づいて、記録紙を作成する装置として構成するものを示している。前記画像形成装置１の本体２には、従来の複写機等の画像形成装置と同様に構成され、トナー画像を用紙に転写して記録紙を作成する電子写真方式の画像記録部１０を設けている。前記画像記録部１０の下部には、給紙カセット４を装着して給紙する給紙部を設け、前記給紙カセット４から給紙ローラ５により取出した用紙を、用紙搬送路６に配置した搬送ローラ装置７により、画像転写部に向けて搬送させる。
【００１７】
前記画像記録部１０においては、感光体ドラム１１に対して書込装置１２、現像装置１３、転写ローラ１４およびクリーニング装置１５を配置している。そして、後述する画像読取装置２０からの画像情報に基づいて、感光体ドラム１１にあにかじめ一様な帯電を行った状態で、書込装置１２により画像の光を照射して静電潜像を形成し、その静電潜像に現像装置１３の現像ローラからトナーを供給してトナー画像を作成する。前記感光体ドラム１１に形成したトナー画像は、用紙搬送路を搬送されてきた用紙の裏面に配置する転写ローラ１４から、転写電圧が印加されることにより用紙にトナー画像が転写される。その後に、前記トナー画像を担持する用紙を定着装置１７を通して定着し、排出ローラ装置１８により排出トレイ１９に向けて排出させる。なお、図２に示す画像形成装置としては、複写機やファクシミリ装置、または、両機能を複合した複合機として構成することが可能なものである。特に、本実施例に示す画像読取装置において、以下に説明する画像読取装置と組み合わせて構成する画像記録装置では、その内部の機構、装置の用途等は限定されるものではない。
【００１８】
前記画像形成装置１の本体２上部に配置する画像読取装置２０は、ＦＢＳ（フラットベッドスキャナ）に対応する機能を設けているもので、フレーム２１の上部に大サイズのプラテン２２を設けている。前記プラテン２２を覆うように、弾性体のパッド２３ａを有する開閉部材２３を配置している。そして、前記プラテン２２上にセットした原稿を、開閉部材２３のパッド２３ａにより押圧して保持し、走査装置２４を図の左右方向に移動させながら、画像の読取りを行うようにする。
【００１９】
前記走査装置２４によるＦＢＳ機能に加えて、開閉部材２３の上部にＲＡＤＦ３０を配置し、前記２つの画像読取装置機能を複合した場合には、前記走査装置２０と読取装置３５の各々から得られる画像情報を、前記画像形成装置本体２に設けた画像書き込み装置情報入力手段に入力される。そして、各々の読取部からの情報を用いて、記録紙の作成等の動作を行い得るようにするのである。
【００２０】
前記画像形成装置本体２の上部で、画像読取装置２０のフレームの内部で移動可能に配置する走査装置２４は、フレーム２５にランプ２６と、複数のミラー２７、結像レンズ２８およびＣＣＤ２９を設けているもので、１つのユニットとして図の左右方向に移動可能に設けられる。前記走査装置２４においては、ランプ２６により原稿の画像面を照射して、その反射光を複数のミラー２７……間で反射し、結像レンズ２８によりＣＣＤ２９に結像する。前記ＣＣＤは従来より公知の光電変換素子を用いているものであるから、前記ＣＣＤに入射された光をデジタル信号に変換して、その情報を画像形成装置のメモリに記憶させ、記録紙の作成に用いることの他に、ＦＡＸ機能を用いて送信することも可能である。
【００２１】
なお、前記ＲＡＤＦ３０は、画像形成装置に組み合わせずに、読取装置として単独で用いることが可能であり、パソコンのような装置に対して、画像情報入力手段として用いる場合にも、両面原稿を自動的に反転しながら、画像の読取りを行うことができる。また、画像形成装置と組み合わせて用いる場合には、ＦＢＳ機能のみを有する読取装置に対して、ＡＤＦ機能を追加して設けることが可能である。特に、ＦＢＳの開閉部材に組み合わせて支持せずに、別の場所においたＡＤＦの情報を、画像形成装置本体のコントロールパネルに設けた入力手段よりコントロールしながら、両面原稿の読取りを行うことができる。
【００２２】
【発明の効果】
前述したように構成したことにより、両面原稿の第１面を読み取った後で、その原稿を反転させて第２面の読取りに向けて送る手段を設けているので、１つの読取部を設けるのみで、両面原稿の表裏面を連続して読み取ることができ、読取りの動作を簡素化することが可能である。また、シートものの両面原稿を原稿トレイにセットするのみで、原稿搬送路内で反転搬送して、表裏面の読取りを行うことができるので、装置の構成を簡素化できて、小型の画像読取装置として構成が可能である。そして、前記画像読取装置を単独でパソコンのような装置に対する読取り手段として用いることが可能であり、ＦＢＳ機能を設けている画像形成装置に組み合わせて用いる場合には、それぞれの機能を有効に用いることができる。
【図面の簡単な説明】
【図１】ＲＡＤＦの構成を示す説明図である。
【図２】ＲＡＤＦを設けた画像形成装置の構成を示す説明図である。
【符号の説明】
１    画像形成装置、  ２    装置本体、  ３    給紙部、
４    給紙カセット、  ５    給紙ローラ、  ６    用紙搬送路、
７    搬送ローラ装置、  １０    画像記録部、  １１    感光体ドラム、
１２    書込装置、  １３    現像装置、  １４    転写ローラ、
１５    クリーニング装置、  １７    定着装置、
１８    排出ローラ装置、  １９    排出トレイ、  ２０    画像読取装置、
２１    フレーム、  ２２    プラテン、  ２３    開閉部材、
２４    走査装置、  ２５    フレーム、  ２６    ランプ、
２７    ミラー、  ２８    レンズ、  ２９    ＣＣＤ、
３０    走査装置、  ３１    原稿トレイ、  ３２    給紙ローラ、
３３    パッド、  ３４    原稿搬送路、  ３５    読取装置、
３６・３７    搬送ローラ装置、  ３８    排出路、
４０    排出ローラ装置、  ４１    排出トレイ、  ４５    戻し路、
４６・４７    切換えゲート、  ４８    正逆搬送ローラ装置、
４９    合流路。
【図１】
2004343491.tif 000003
【図２】
2004343491.tif 000004